(57)【要約】【課題】吸収体を備えた袋部にペニス挿入口からペニスを挿入して使用する場合、ペニスと袋部乃至挿入口との位置関係を固定し、ペニスのずれを防止できるペニスコネクターを提供する。【解決手段】ペニスコネクター１０は、弾性板状の本体１１の略中央にスリット１２を形成したものである。ペニスコネクター１０に挿入した着用者のペニスＰを処理用品１の挿入口５に挿入し、処理用品１の結束バンド６をペニスコネクターの本体１１の着用者側に引っ掛けて巻きつけ、その各先端の粘着層６を処理用品１の袋部３に貼着・固定する。ペニスＰとペニスコネクター１０と処理用品１が一体となり、着用者のペニスＰは正規挿入位置に保持され、位置がずれが起きにくい。【選択図】図１
2006115926.tif 000002
【特許請求の範囲】
【請求項１】
着用者のペニスを挿入する挿入口と体液の吸収体を有する袋部を備えた男性用体液処理用品の着用に用いられるペニスコネクターにおいて、
前記着用者のペニスに着脱可能に固定されるとともに、前記着用者のペニスが前記男性用体液処理用品の前記挿入口に挿入された状態で前記男性用体液処理用品に着脱可能に固定されることにより、前記着用者のペニスが前記男性用体液処理用品の前記挿入口に正規に挿入された状態を保持するペニスコネクター。
【請求項２】
結束手段が設けられた前記男性用体液処理用品の着用に用いられ、
スリットが形成された板状の本体を有し、前記スリットに前記着用者のペニスを挿入して固定するとともに、前記着用者のペニスを前記男性用体液処理用品の前記挿入口に挿入した状態で前記結束手段を前記本体の前記着用者側に係止させることを特徴とする請求項１記載のペニスコネクター。
【請求項３】
スリットが形成されるとともに前記男性用体液処理用品側には接合層が設けられた板状の本体を有し、前記スリットに前記着用者のペニスを挿入して固定するとともに、前記着用者のペニスを前記男性用体液処理用品の前記挿入口に挿入した状態で前記接合層を前記男性用体液処理用品に接合させることを特徴とする請求項１記載のペニスコネクター。
【請求項４】
結束手段が設けられた前記男性用体液処理用品の着用に用いられ、
前記着用者のペニスよりも細い開口が形成された板状の本体を有し、前記開口に前記着用者のペニスを挿入して固定するとともに、前記着用者のペニスを前記男性用体液処理用品の前記挿入口に挿入した状態で前記結束手段を前記本体の前記着用者側に係止させることを特徴とする請求項１記載のペニスコネクター。
【請求項５】
前記着用者のペニスよりも細い開口が形成されるとともに前記男性用体液処理用品側には接合層が設けられた板状の本体を有し、前記開口に前記着用者のペニスを挿入して固定するとともに、前記着用者のペニスを前記男性用体液処理用品の前記挿入口に挿入した状態で前記接合層を前記男性用体液処理用品に接合させることを特徴とする請求項１記載のペニスコネクター。
【請求項６】
結束手段が設けられた前記男性用体液処理用品の着用に用いられ、
前記着用者のペニスが挿入されて先端から突出する実質的に筒状の本体と該本体の基端に設けられたフランジ部を有し、前記着用者のペニスを前記男性用体液処理用品の前記挿入口に挿入した状態で前記結束手段を前記フランジ部に係止させることを特徴とする請求項１記載のペニスコネクター。
【請求項７】
前記着用者のペニスが挿入されて先端から突出する実質的に筒状の本体と該本体の基端に設けられたフランジ部と前記フランジ部の前記男性用体液処理用品側に設けられた接合層を有し、前記着用者のペニスを前記男性用体液処理用品の前記挿入口に挿入した状態で前記接合層を前記男性用体液処理用品に接合させることを特徴とする請求項１記載のペニスコネクター。
【請求項８】
前記着用者のペニスが挿入されて先端から突出する実質的に筒状の本体と該本体の先端に設けられた係止部を有し、前記着用者のペニスを前記男性用体液処理用品の前記挿入口に挿入することにより前記係止部を前記男性用体液処理用品の前記挿入口に係止させることを特徴とする請求項１記載のペニスコネクター。
【請求項９】
結束手段が設けられた前記男性用体液処理用品の着用に用いられ、
前記着用者のペニスに巻装される帯状の本体と該本体の一対の端部を結合する結合手段とを有し、前記本体を前記着用者のペニスに巻装して前記結合手段で固定するとともに、前記着用者のペニスを前記男性用体液処理用品の前記挿入口に挿入した状態で前記結束手段を前記本体側に係止させることを特徴とする請求項１記載のペニスコネクター。
【請求項１０】
前記着用者のペニスに巻装される帯状の本体と該本体の一対の端部を結合する結合手段と前記本体に設けられた接合層を有し、前記着用者のペニスを前記男性用体液処理用品の前記挿入口に挿入した状態で前記接合層を前記男性用体液処理用品の表側に接合させることを特徴とする請求項１記載のペニスコネクター。
【請求項１１】
前記着用者のペニスに巻装される帯状の本体と該本体の一対の端部を結合する結合手段とを有し、前記着用者のペニス及び前記本体の一部を前記男性用体液処理用品の前記挿入口に挿入することにより前記本体の一部を前記男性用体液処理用品の前記挿入口に係止させることを特徴とする請求項１記載のペニスコネクター。
【請求項１２】
前記接合層を前記男性用体液処理用品に接合させることにより、前記本体又は前記フランジ部によって前記男性用体液処理用品の前記挿入口を閉止することを特徴とする請求項３又は５又は７又は１０記載のペニスコネクター。
【請求項１３】
前記本体が弾性を有する材料から構成されることを特徴とする請求項２乃至１０のペニスコネクター。
【請求項１４】
前記スリットは、前記本体に形成した外縁に達しない１本の切り込みであり、前記切り込みに近接した前記本体の表面が前記スリットに挿入された前記着用者のペニスに接触して抜け止めとなることを特徴とする請求項２又は３記載のペニスコネクター。
【請求項１５】
前記スリットは、前記本体に放射状に形成された複数の前記切り込みにより構成されており、複数の前記切り込みによって形成される複数の片部の表面が前記スリットに挿入された前記着用者のペニスに接触して抜け止めとなることを特徴とする請求項２又は３記載のペニスコネクター。
【発明の詳細な説明】
【技術分野】
【０００１】
本発明は、ペニスの挿入口が形成された袋部内に体液の吸収体を設けてなる男性用体液処理用品の着用補助用具に係り、特にこの男性用体液処理用品を着用する際に、男性用体液処理用品の挿入口に挿入した着用者のペニスが挿入口に対してずれないように保持することで好適な装着状態を維持できるようにしたペニスコネクターに関する。
【背景技術】
【０００２】
従来の吸収体物品、例えばおむつ、大人用おむつ、女性用生理用品、女性用失禁用品等は、ナプキン形状であれ、テープ型形状であれ、あるいはパンツ型形状を持つものであれ、共通している構造は、液透過性トップシートと、液不透過性のバックシートとの間に、ＳＡＰとパルプを混合した吸収体を介在させるという基本構造を持っている。
【０００３】
これらの吸収体製品のうち、男性用体液処理用品は、男性である着用者の体液排出はペニスを通じてを行うことが前提となるので、かかる人体の構造上の特徴に適した構造を有していることが必要とされる。このような男性用体液処理用品としては、下記特許文献１、２に示すように、吸収体を備えた袋部にペニス挿入口が形成された吸収体物品が知られている。
【特許文献１】特開平１１−１７２５０２号公報
【特許文献２】特開２００４−６５８５７号公報
【発明の開示】
【発明が解決しようとする課題】
【０００４】
しかしながら、従来の男性用体液処理用品では、ペニスから排出された体液が袋部内の吸収体に適正に吸収されるようにするため、袋部の挿入口からペニスを挿入して適正な位置に位置決めした状態で着用する必要がある。しかし、従来の男性用体液処理用品では、挿入口から挿入したペニスと袋部乃至挿入口との位置関係を適正に固定する手段がないため、例えば着用者が立ち姿勢から着座する等の行動をとった場合に、袋部に対して着用者の腰が引けることにより、袋体に挿入したペニスが袋体内で正規の位置から移動したり、あるいは挿入口からペニスが抜ける等、固定が不十分であるための位置ずれの問題が生じていた。
【０００５】
本発明は、上述した課題を解決するためになされたものであり、吸収体を備えた袋部にペニス挿入口が形成された男性用体液処理用品の着用に用いることにより、挿入口から袋部内に挿入したペニスと袋部乃至挿入口との位置関係を固定し、該ペニスの袋部乃至挿入口に対するずれを防止し、またずれが生じてもある程度の位置復元性を発揮することができる柔軟性を備えた着用補助用具であるペニスコネクターを提供することを目的とする。
【課題を解決するための手段】
【０００６】
請求項１に記載されたペニスコネクターは、着用者のペニスを挿入する挿入口と体液の吸収体を有する袋部を備えた男性用体液処理用品の着用に用いられるペニスコネクターにおいて、
前記着用者のペニスに着脱可能に固定されるとともに、前記着用者のペニスが前記男性用体液処理用品の前記挿入口に挿入された状態で前記男性用体液処理用品に着脱可能に固定されることにより、前記着用者のペニスが前記男性用体液処理用品の前記挿入口に正規に挿入された状態を保持することを特徴としている。
【０００７】
請求項２に記載されたペニスコネクターは、請求項１記載のペニスコネクターにおいて、
結束手段が設けられた前記男性用体液処理用品の着用に用いられ、
スリットが形成された板状の本体を有し、前記スリットに前記着用者のペニスを挿入して固定するとともに、前記着用者のペニスを前記男性用体液処理用品の前記挿入口に挿入した状態で前記結束手段を前記本体の前記着用者側に係止させることを特徴としている。
【０００８】
請求項３に記載されたペニスコネクターは、請求項１記載のペニスコネクターにおいて、
スリットが形成されるとともに前記男性用体液処理用品側には接合層が設けられた板状の本体を有し、前記スリットに前記着用者のペニスを挿入して固定するとともに、前記着用者のペニスを前記男性用体液処理用品の前記挿入口に挿入した状態で前記接合層を前記男性用体液処理用品に貼着させることを特徴としている。
【０００９】
請求項４に記載されたペニスコネクターは、請求項１記載のペニスコネクターにおいて、
結束手段が設けられた前記男性用体液処理用品の着用に用いられ、
前記着用者のペニスよりも細い開口が形成された板状の本体を有し、前記開口に前記着用者のペニスを挿入して固定するとともに、前記着用者のペニスを前記男性用体液処理用品の前記挿入口に挿入した状態で前記結束手段を前記本体の前記着用者側に係止させることを特徴としている。
【００１０】
請求項５に記載されたペニスコネクターは、請求項１記載のペニスコネクターにおいて、
前記着用者のペニスよりも細い開口が形成されるとともに前記男性用体液処理用品側には接合層が設けられた板状の本体を有し、前記開口に前記着用者のペニスを挿入して固定するとともに、前記着用者のペニスを前記男性用体液処理用品の前記挿入口に挿入した状態で前記接合層を前記男性用体液処理用品に貼着させることを特徴としている。
【００１１】
請求項６に記載されたペニスコネクターは、請求項１記載のペニスコネクターにおいて、
結束手段が設けられた前記男性用体液処理用品の着用に用いられ、
前記着用者のペニスが挿入されて先端から突出する実質的に筒状の本体と該本体の基端に設けられたフランジ部を有し、前記着用者のペニスを前記男性用体液処理用品の前記挿入口に挿入した状態で前記結束手段を前記フランジ部に係止させることを特徴としている。
【００１２】
請求項７に記載されたペニスコネクターは、請求項１記載のペニスコネクターにおいて、
前記着用者のペニスが挿入されて先端から突出する実質的に筒状の本体と該本体の基端に設けられたフランジ部と前記フランジ部の前記男性用体液処理用品側に設けられた接合層を有し、前記着用者のペニスを前記男性用体液処理用品の前記挿入口に挿入した状態で前記接合層を前記男性用体液処理用品に貼着させることを特徴としている。
【００１３】
請求項８に記載されたペニスコネクターは、請求項１記載のペニスコネクターにおいて、
前記着用者のペニスが挿入されて先端から突出する実質的に筒状の本体と該本体の先端に設けられた係止部を有し、前記着用者のペニスを前記男性用体液処理用品の前記挿入口に挿入することにより前記係止部を前記男性用体液処理用品の前記挿入口に係止させることを特徴としている。
【００１４】
請求項９に記載されたペニスコネクターは、請求項１記載のペニスコネクターにおいて、
結束手段が設けられた前記男性用体液処理用品の着用に用いられ、
前記着用者のペニスに巻装される帯状の本体と該本体の一対の端部を結合する結合手段とを有し、前記本体を前記着用者のペニスに巻装して前記結合手段で固定するとともに、前記着用者のペニスを前記男性用体液処理用品の前記挿入口に挿入した状態で前記結束手段を前記本体側に係止させることを特徴としている。
【００１５】
請求項１０に記載されたペニスコネクターは、請求項１記載のペニスコネクターにおいて、
前記着用者のペニスに巻装される帯状の本体と該本体の一対の端部を結合する結合手段と前記本体に設けられた接合層を有し、前記着用者のペニスを前記男性用体液処理用品の前記挿入口に挿入した状態で前記接合層を前記男性用体液処理用品の表側に接合させることを特徴としている。
【００１６】
請求項１１に記載されたペニスコネクターは、請求項１記載のペニスコネクターにおいて、
前記着用者のペニスに巻装される帯状の本体と該本体の一対の端部を結合する結合手段とを有し、前記着用者のペニス及び前記本体の一部を前記男性用体液処理用品の前記挿入口に挿入することにより前記本体の一部を前記男性用体液処理用品の前記挿入口に係止させることを特徴としている。
【００１７】
請求項１２に記載されたペニスコネクターは、請求項３又は５又は７又は１０記載のペニスコネクターにおいて、
前記接合層を前記男性用体液処理用品に貼着させることにより、前記本体又は前記フランジ部によって前記男性用体液処理用品の前記挿入口を閉止することを特徴としている。
【００１８】
請求項１３に記載されたペニスコネクターは、請求項２乃至１０のペニスコネクターにおいて、
前記本体が弾性を有する材料から構成されることを特徴としている。
【００１９】
請求項１４に記載されたペニスコネクターは、請求項２又は３記載のペニスコネクターにおいて、
前記スリットは、前記本体に形成した外縁に達しない１本の切り込みであり、前記切り込みに近接した前記本体の表面が前記スリットに挿入された前記着用者のペニスに接触して抜け止めとなることを特徴としている。
【００２０】
請求項１５に記載されたペニスコネクターは、請求項２又は３記載のペニスコネクターにおいて、
前記スリットは、前記本体に放射状に形成された複数の前記切り込みにより構成されており、複数の前記切り込みによって形成される複数の片部の表面が前記スリットに挿入された前記着用者のペニスに接触して抜け止めとなることを特徴としている。
【００２１】
このように、本発明のペニスコネクターは、着用者のペニスを挿入する挿入口と体液の吸収体を有する袋部を備えた男性用体液処理用品の確実かつ安定した着用に有用なものであって、そのために前記着用者のペニスに着脱可能に固定される本体を有するとともに、この本体を前記男性用体液処理用品に着脱可能に固定するための固定手段を有している。前記本体としては、着用者のペニスに装着し易く、装着後にはペニスに対する位置ずれが起きにくい構造が好ましく、例えばスポンジ、ゴムその他の弾性材料からなる本体にペニスが挿通する挿通孔を設け、この孔にペニスが挿通した際には摩擦等の抵抗が生じてペニスに係止するような構成が採用できる。また該本体の前記男性用体液処理用品に対する前記固定手段としては、男性用体液処理用品に接合（所要の強度で一体化すること）と分離が可能な接合層を採用でき、かかる接合層としては、男性用体液処理用品に貼着する粘着層や、多数の微少な係止部材と被係止部材の引っ掛かりにより二面の接合が行われる面ファスナー等が採用できる。また、前記固定手段としては、挿入口に引っ掛かるストッパーのように本体側に設けられた構成でもよいし、また男性用体液処理用品側に設けられた構成要素と協働して上記固定機能を奏するもの（男性用体液処理用品に設けられた結束手段を本体側に係止して固定する構造等）でもよい。これによって、前記着用者のペニスが前記男性用体液処理用品の前記挿入口に挿入された状態で、該ペニスに固定したペニスコネクターを前記男性用体液処理用品に固定すれば、前記着用者のペニスが前記男性用体液処理用品の前記挿入口に正規に挿入された状態に保持される。
【発明の効果】
【００２２】
請求項１に記載されたペニスコネクターによれば、着用者のペニスに着脱可能に固定されるとともに、着用者のペニスが前記男性用体液処理用品の前記挿入口に挿入された状態で男性用体液処理用品に着脱可能に固定されるので、着用者のペニスが男性用体液処理用品の挿入口に正規に挿入された状態を保持することができる。
【００２３】
請求項２に記載されたペニスコネクターによれば、本体のスリットに着用者のペニスを挿入して固定し、着用者のペニスを男性用体液処理用品の挿入口に挿入した状態で男性用体液処理用品の結束手段を本体の着用者側に係止させることにより、着用者のペニスが男性用体液処理用品の挿入口に正規に挿入された状態を保持することができる。
【００２４】
請求項３に記載されたペニスコネクターによれば、本体のスリットに着用者のペニスを挿入して固定し、着用者のペニスを男性用体液処理用品の挿入口に挿入した状態で接合層を男性用体液処理用品に貼着させることにより、着用者のペニスが男性用体液処理用品の挿入口に正規に挿入された状態を保持することができる。
【００２５】
請求項４に記載されたペニスコネクターによれば、
本体の開口に着用者のペニスを挿入して固定し、着用者のペニスを男性用体液処理用品の挿入口に挿入した状態で結束手段を本体の着用者側に係止させることにより、着用者のペニスが男性用体液処理用品の挿入口に正規に挿入された状態を保持することができる。
【００２６】
請求項５に記載されたペニスコネクターによれば、本体の開口に着用者のペニスを挿入して固定し、着用者のペニスを男性用体液処理用品の挿入口に挿入した状態で接合層を男性用体液処理用品に貼着させることにより、着用者のペニスが男性用体液処理用品の挿入口に正規に挿入された状態を保持することができる。
【００２７】
請求項６に記載されたペニスコネクターによれば、筒状の本体に着用者のペニスを挿入して該ペニスの先端を本体の先端から突出させ、着用者のペニスを男性用体液処理用品の挿入口に挿入した状態で、結束手段を本体の根元にあるフランジ部に係止させることにより、着用者のペニスが男性用体液処理用品の挿入口に正規に挿入された状態を保持することができる。
【００２８】
請求項７に記載されたペニスコネクターによれば、筒状の本体に着用者のペニスを挿入して該ペニスの先端を本体の先端から突出させ、着用者のペニスを男性用体液処理用品の挿入口に挿入した状態で、本体の根元にあるフランジ部の接合層を男性用体液処理用品に貼着させることにより、着用者のペニスが男性用体液処理用品の挿入口に正規に挿入された状態を保持することができる。
【００２９】
請求項８に記載されたペニスコネクターによれば、筒状の本体に着用者のペニスを挿入して該ペニスの先端を本体の先端から突出させ、着用者のペニスを男性用体液処理用品の挿入口に挿入すれば、本体の先端に設けられた係止部が男性用体液処理用品の挿入口に係止するので、着用者のペニスが男性用体液処理用品の挿入口に正規に挿入された状態を保持することができる。
【００３０】
請求項９に記載されたペニスコネクターによれば、着用者のペニスに帯状の本体を巻装して結合手段で固定し、着用者のペニスを男性用体液処理用品の挿入口に挿入した状態で、男性用体液処理用品の結束手段を本体側（例えば本体に設けたフランジ部や、結合手段で結合された一対の端部）に係止させることにより、着用者のペニスが男性用体液処理用品の挿入口に正規に挿入された状態を保持することができる。
【００３１】
請求項１０に記載されたペニスコネクターによれば、着用者のペニスに帯状の本体を巻装して結合手段で固定し、着用者のペニスを男性用体液処理用品の挿入口に挿入した状態で、本体の接合層（例えば本体に設けたフランジ部や、結合手段で結合された一対の端部に設けられる）を男性用体液処理用品の表側に接合させることにより、着用者のペニスが男性用体液処理用品の挿入口に正規に挿入された状態を保持することができる。
【００３２】
請求項１１に記載されたペニスコネクターによれば、着用者のペニスに帯状の本体を巻装して結合手段で固定し、着用者のペニス及び本体の一部を男性用体液処理用品の挿入口に挿入することで、ペニスが挿入口から引き抜かれる方向に移動しようとしても、本体の一部（例えば本体に設けたフランジ部や、結合手段で結合された一対の端部）が挿入口に対する引っ掛かりとなるのでペニスが挿入口から抜けたり、位置ずれを起こすことはなく、着用者のペニスが男性用体液処理用品の挿入口に正規に挿入された状態を保持することができる。
【００３３】
請求項１２に記載されたペニスコネクターによれば、請求項３又は５又は７又は１０記載のペニスコネクターにおいて、前記接合層を男性用体液処理用品に貼着させることにより、本体又はフランジ部によって男性用体液処理用品の挿入口を閉止することができるので、着用者のペニスの男性用体液処理用品に対する位置固定がさらに確実になってずれが防止され、また男性用体液処理用品の挿入口からの液漏れや臭い漏れが確実に防止される。
【００３４】
請求項１３に記載されたペニスコネクターによれば、請求項２乃至１０のペニスコネクターにおいて、前記本体が弾性を有する材料から構成されているので、前記本体は着用者のペニスに確実に装着されて位置ずれしにくく、両者間の位置関係が固定されるだけでなく、弾性材料からなるのでずれた場合にも本来の位置関係に復帰する復元性があるという特徴があり、該本体を男性用体液処理用品に固定することで着用者のペニスが男性用体液処理用品の挿入口に正規に挿入された状態を確実に保持することができる。
【００３５】
請求項１４に記載されたペニスコネクターによれば、請求項２又は３記載のペニスコネクターにおいて、本体に形成した外縁に達しない１本の切り込みからなるスリットに着用者の終えニスを挿入することにより、切り込みに近接した本体の一部分が捲れ上がって着用者のペニスに所定の面積を以て接触するので、確実な抜け止めとして作用し、着用者のペニスが男性用体液処理用品の挿入口に正規に挿入された状態を確実に保持することができる。
【００３６】
請求項１５に記載されたペニスコネクターによれば、請求項２又は３記載のペニスコネクターにおいて、
本体に放射状に形成した複数の切り込みからなるスリットに着用者のペニスを挿入することにより、切り込みによって形成される複数の片部が捲れ上がって着用者のペニスの全周にわたって所定の面積を以て接触するので、確実な抜け止めとして作用し、着用者のペニスが男性用体液処理用品の挿入口に正規に挿入された状態を確実に保持することができる。
【００３７】
以上説明したように、本発明のペニスコネクターによれば、着用者のペニスを挿入する挿入口が形成されるとともに体液の吸収体を有する袋部を備えた男性用体液処理用品の着用において、男性用体液処理用品に対する着用者のペニスの位置が固定され、ずれが生じにくく、着用者のペニスが男性用体液処理用品の挿入口に正規に挿入された状態を確実に保持することができる。また、本体を着用者のペニスに固定し、ペニスを挿入口から挿入して該本体を男性用体液処理用品に対して固定するだけで、確実な装着が非常に簡単に行える。
【発明を実施するための最良の形態】
【００３８】
次に、本願発明における最良の実施の形態を説明する。
本実施形態のペニスコネクターは、男性用体液処理用品を着用する際の補助用具であって、特にペニスの挿入口が形成された袋部の内部に体液の吸収体が設けられた基本構造を有する男性用体液処理用品に対して有用である。本実施形態のペニスコネクターは、まずペニスコネクター自体をペニスに取り付け、着用者の下腹部に設ける男性用体液処理用品の挿入口から該ペニスを挿入するとともに、該ペニスコネクターを男性用体液処理用品に固定することにより、着用者のペニスを男性用体液処理用品の挿入口に所定の位置関係で挿入した状態を確実に保持するものである。
【００３９】
上記の基本構造を実現する本実施形態のペニスコネクター及びこれが適用される男性用体液処理用品の基本的形態としては、次のようなバリエーションが考えられる。
まず、ペニスに取り付けるペニスコネクターの構造としては次の４種類がある。
１．弾性を有する板状の本体にペニスを挿入するスリットが形成されたスリット式
２．弾性を有する板状の本体にペニスを挿入する開口（孔）が形成された開口式
３．ペニスが挿入される弾性を有する筒状の本体を備えた導入式
４．１本の帯状の本体をペニスに巻き付けて固定する開閉式
【００４０】
次に、上記のペニスコネクターをペニスに固定した後、このペニスコネクターを男性用体液処理用品に取り付けるわけであるが、ペニスコネクターと男性用体液処理用品の固定構造としては次の３種類がある。
１．男性用体液処理用品に固定手段としての結束バンドが設けられ、これをペニスコネクターにかけ回して結束して固定するバンド方式
２．ペニスコネクターに固定手段として接合層が設けられ、これを男性用体液処理用品に接合して固定するシール方式
３．導入式のペニスコネクターにおいて、その先端にストッパー（かえし、引っ掛かり等として機能する構造部分）が設けられ、男性用体液処理用品の挿入口に挿入すると引き抜き動作に対するストッパーとなるストッパー方式
【００４１】
以上、本実施形態の主要機能を実現するペニスコネクターと男性用体液処理用品の構造をいくつかに分類して簡単に説明したが、以下においては、上記４つの構造分類ごと、固定構造ごとに、さらに具体的なペニスコネクターの実施形態について説明する。
【００４２】
１．スリット式のペニスコネクター（図１〜図３）
（１）バンド方式
図１（ａ）は、本例のペニスコネクターが適用される男性用体液処理用品１の正面図（着用者の体に接する側の面を見る図）である。この男性用体液処理用品１は、左右一対のウイング状の側部２，２を備えた袋体である袋部３を有している。袋部３は不織布とフィルムの積層体から構成され、内部に放出された体液を外に漏らさないような構造となっている。袋部３の内部には、各側部２ごとに体液の吸収体４が設けられている。袋部３の正面中央にはペニスの挿入口５が設けられ、袋部３の内部に連通している。挿入口５は細長い長円形又は両端が半円形の細長い矩形状である。袋部３の正面側には、前記挿入口５を囲んで結束手段として一対の結束バンド６，６が設けられている。結束バンド６は、１枚の帯状のシートの一端を二股状にカットして形成したものであり、該シートは挿入口５の周囲に沿って貼り付けられ、挿入口５の補強材を兼ねている。結束バンド６の先端部の片面には接合層７が設けられ、袋部３の表面に対して着脱可能に接合できるようになっている。ここで、で接合層７は、男性用体液処理用品に対して接合（所要の強度で一体化すること）と分離が可能な機能を有しており、男性用体液処理用品に接合する粘着層や、多数の微少な係止部材と被係止部材の引っ掛かりにより二面の接合が行われる面ファスナー等が採用できる。
【００４３】
図１（ｂ）に示すように、本例のスリット式のペニスコネクター１０は、板状の本体１１の略中央にスリット１２を形成したものであり、その材質はスポンジ等の人体にソフトで弾性を有し、かつ人体に対してある程度の摩擦を生じるようなものであるため、男性用体液処理用品１の着用者のペニスＰに挿入すれば細いスリット１２とペニスＰとの摩擦で抜けにくく、該ペニスＰに着脱可能な状態で固定することができる。その固定力は、着用者に過度の圧迫感や締め付けによる苦痛を与えず、固定に違和感のない程度のものであって、かつ後述する男性用体液処理用品１に対する位置決めの際の固定手段としての十分機能し、着用者の日常的な動作に伴って外れることのない程度のものである。
【００４４】
図１（ｃ）に示すように、着用者のペニスＰを男性用体液処理用品１の挿入口５に挿入した状態で、男性用体液処理用品１の結束バンド６を前記ペニスコネクターの本体１１の着用者側に引っ掛けて巻きつけ、その各先端の接合層６を男性用体液処理用品１の袋部３に接合して固定する。これによって着用者のペニスＰとペニスコネクター１０と男性用体液処理用品１が一体となり、着用者のペニスＰは男性用体液処理用品１の挿入口５に正規の状態（ペニスからの排尿を漏れなく男性用体液処理用品１が受け入れることができ、かつペニスが挿入口５から容易には外れないような状態）に挿入されて保持され、着用者が着席・起立動作を繰り返しても男性用体液処理用品１に対するペニスＰの位置がずれたり、挿入口５から外れてしまう等の不都合は生じない。また、仮に位置が若干ずれても、本体１１の弾性によって元の位置に戻る復元性を有する。
なお、男性用体液処理用品１の背面（着用者の体に接する側と反対の面）側には接合層があり、着用者が着用するパンツ等の下着の内面に固定することができる。
【００４５】
図２は本体１１ａ〜１１ｇ及びスリット１２ａ〜１２ｇの形状例を示している。
本体の外形は図２（ａ）に示すような三角形でもよいし、同図（ｂ）、（ｃ）、（ｄ）、（ｅ）に示すような正方形（矩形）でもよいし、同図（ｆ）に示すような円形でもよいし、また同図（ｇ）に示すように四方にフランジ１３が張り出した略十字形状でもよい。もちろん、ここに示した形状以外の形状でもよい。いずれの形状においても、本体の周縁が前記結束バンド６が係止するフランジ部として機能するが、特に同図（ｅ）に示すように本体１１ｅの外縁に切欠１４が形成されていると、左右の結束バンド６をペニスコネクターの本体１１ｅに掛け回す位置が正確に規制されるとともに、結束バンド６を掛け回した際に該結束バンド６が該切欠１４に食い込んで男性用体液処理用品１とペニスコネクター１０ｅとの係合一体化が一層確実になる。また、同図（ｇ）に示す略十字形状のペニスコネクター１０ｇによればフランジ１３のためにスリット１２ｇから周縁までの寸法を他のものよりも長くとれるので結束バンド６の係止をより確実にできる。
【００４６】
スリットの形状乃至パターンは、図２（ｂ）に示すスリット１２ｂのように１本でもよいし、図２中のその他の分図に示すように複数本を放射状に形成したものでもよい。１本のスリットの場合は、本体に対する単なる切り込みでもよいが、ペニスＰを挿入する際の抵抗が大きければ、図２（ｂ）に示すように中央部で最大となるような開口幅をもたせた開口溝状のスリット１２ｂとしてもよい。放射状に配した複数本のスリット１２ａ，１２ｃ，１２ｄ，１２ｅ，１２ｆ，１２ｇの場合には、複数のスリットによって形成される複数の三角形状の片部の表面が、スリットに挿入された着用者のペニスＰに面で接触して適度な抜け止めとなる。
【００４７】
（２）シール方式
図３（ａ）に示すように、本例のペニスコネクター１０ｈの本体１１ｈは、弾性材料からなる板状で略台形状の外形を呈しており、一対の平行辺のうち、図中下側の短い平行辺に近接して複数本のスリット１２ｈが放射状に形成されている。そして、図中上側の長い平行辺に近接してこれと平行に所定幅で固定手段としての接合層１５が形成されている。
【００４８】
図３（ａ）に示す例によれば、スリット１２ｈに着用者のペニスＰを挿入して固定し、次に着用者のペニスＰを男性用体液処理用品１の挿入口５の下側に寄った位置から挿入し、前記接合層１５を男性用体液処理用品１に接合させることによって、着用者のペニスＰとペニスコネクター１０ｈと男性用体液処理用品１が一体となる。着用者のペニスＰは男性用体液処理用品１の挿入口５の下側から正規に挿入された状態に保持され、着用者が着席・起立動作を繰り返しても男性用体液処理用品１に対するペニスＰの位置がずれたり、挿入口５から外れてしまう等の不都合は生じない。さらに、男性用体液処理用品１の挿入口５の上側の部分は、このペニスコネクター１０ｈのスリット１２ｈの上方の半部（接合層１５がある部分）によって覆われるので、袋部３内から挿入口５を経て液や臭いが漏れることは確実に防止される。
【００４９】
図３（ｂ）に示す本例のペニスコネクター１０ｊは、図３（ａ）のペニスコネクター１０ｈを２枚用意し、これらを互いに短い平行辺でいったいに結合したような中央部がくびれた形状の本体１１ｊを有している。この中央部に複数本のスリット１２ｊが放射状に設けられており、上半部と下半部にはそれぞれ接合層１５，１５が設けられている。
【００５０】
図３（ｂ）に示す例によれば、スリット１２ｊに着用者のペニスＰを挿入して固定し、次に着用者のペニスＰを男性用体液処理用品１の挿入口５の中央から挿入し、前記接合層１５，１５を男性用体液処理用品１に接合させることによって、着用者のペニスＰとペニスココネクター１０ｊと男性用体液処理用品１が一体となる。着用者のペニスＰは男性用体液処理用品１の挿入口５の中央から正規に挿入された状態に保持され、着用者が着席・起立動作を繰り返しても男性用体液処理用品１に対するペニスＰの位置がずれたり、挿入口５から外れてしまう等の不都合は生じない。さらに、男性用体液処理用品１の挿入口５の上側及び下側の各部分は、このペニスコネクター１０ｊのスリット１２ｊの上半部及び下半部（接合層１５がある部分）によってそれぞれ覆われるので、袋部３内から挿入口５を経て液や臭いが漏れることは確実に防止される。
このように、図３に示すペニスコネクターによれば、男性用体液処理用品１の挿入口５に対するペニスＰの挿入及び固定位置を調整でき、さらに挿入に必要な開口以外はペニスコネクター自体で閉止して液漏れや臭い漏れを防止することができる。
【００５１】
２．開口式のペニスコネクター（図４）
（１）バンド方式
図４は、結束手段が設けられた男性用体液処理用品１の着用に用いられる開口式のペニスコネクター２０を示す図である。開口式のペニスコネクター２０は、着用者のペニスＰよりも細い（ペニスＰの外径よりも小さい内径の）開口２２が形成された板状の本体２１を有している。本体２１は、図４（ａ）に示すように円形の本体２１ａでもよいし、同図（ｂ）のように正方形（矩形）の本体２１ｂでもよいし、同図（ｃ）のように三角形の本体２１ｃでもよく、その他の形状でもかまわない。着用に当たっては、開口２１ａ，２１ｂ，２１ｃに着用者のペニスＰを挿入して固定するとともに、着用者のペニスＰを男性用体液処理用品１の挿入口５に挿入した状態で、結束バンド６を本体２１ａ，２１ｂ，２１ｃの着用者側に引っ掛けて巻きつけ、その各先端の接合層７を男性用体液処理用品１の袋体に接合して固定する。
本例によっても、スリット式の場合と略同様の作用効果を得ることができる。
【００５２】
（２）シール方式
図示はしないが、図３に示したスリット式の例において、スリットを図４に示すような円形の開口とすることもできる。このような開口式、シール方式のペニスコネクターによれば、図３のペニスコネクターと略同様の作用効果を得ることができる。
【００５３】
３．導入式のペニスコネクター（図５〜図８）
（１）バンド方式
図５は、結束手段が設けられた男性用体液処理用品１の着用に用いられる導入式のペニスコネクター３０ａを示す図である。導入式のペニスコネクター３０ａは、着用者のペニスＰが挿入されて先端から突出する実質的に筒状の本体３１ａと、該本体３１ａの基端に設けられたフランジ部３２ａを有している。着用者のペニスＰを本体３１ａに挿入してペニスＰの先端を本体３１ａの先端から突出させ、男性用体液処理用品１の挿入口５にペニスＰの先端及び本体３１ａの先端を挿入し、この状態で結束バンド６をフランジ部３２ａの着用者側に引っ掛けて巻きつけ、その各先端の接合層７を男性用体液処理用品１の袋体に接合して固定する。
本例によっても、スリット式、開口式の場合と略同様の作用効果を得ることができる。    
【００５４】
（２）シール方式
図示はしないが、図５に示したバンド方式の導入式ペニスコネクター３０ａにおいて、フランジ部３２ａの前面（男性用体液処理用品１に面する側）に図３に示したような固定手段としての接合層を設けることもできる。例えば、接合層はフランジ部３２ａの形状に合せてリング状等に配することができる。これによれば、図３に示したシール方式のスリット式のペニスコネクター１０ｈ，１０ｊと略同様の作用効果を得ることができる。
【００５５】
（３）ストッパー方式
図６から図８は、男性用体液処理用品１に対する固定手段として本体の先端にストッパーを備えたストッパー方式の導入式ペニスコネクターを示す図である。
図６（ａ）は本例の導入式のペニスコネクターを適用できる男性用体液処理用品１’の正面図である。その構造は、図１に示した男性用体液処理用品１から結束バンド６を除き、挿入口５の裏側に補強用のシート８を設けたものである。対応する部分には図１と同様の符号を付して説明を省略する。
【００５６】
図６（ｂ）に示すように、本例のペニスコネクター３０ｂは、着用者のペニスＰが挿入されて先端から突出する実質的に筒状の本体３１ｂと、該本体３１ｂの基端に設けられたフランジ部３２ｂと、本体３１ｂの先端に設けられて本体３１ｂよりも外径が拡大した小フランジ状の係止部であるストッパー３３ｂとを有している。図６（ｃ）に示すように、着用者のペニスＰを本体３１ｂに挿入してペニスＰの先端を本体３１ｂの先端から突出させ、男性用体液処理用品１の挿入口５にペニスＰの先端が突出した本体３１ｂの先端を挿入する。この状態では、ペニスＰ及び本体３１ｂを挿入口５から引き抜くような力が加わっても、本体３１ｂの先端のストッパー３３ｂが挿入口５に引っ掛かるので抜けることはない。従って、以上説明した各例と同様、男性用体液処理用品１の挿入口５に挿入したペニスＰの位置固定、男性用体液処理用品１の挿入口５からのペニスＰのずれ防止が確実であり、また位置ずれした場合の復元性も有している。
【００５７】
図７は、ストッパーの変形例を示している。図７（ａ）に示すペニスコネクター３０ｃの本体３１ｃに設けられたストッパー３３ｃは、本体３１ｃの先端に設けられた本体３１ｃより径の大きい環状の部材である。図７（ｂ）に示すペニスコネクター３０ｄの本体３１ｄに設けられたストッパー３３ｄは、本体３１ｄの先端に設けられた本体３１ｄより径の大きい貫通した略円錐台状の部材である。いずれのストッパー３３ｃ，３３ｄでも図６の例と略同様の作用効果を得ることができる。
【００５８】
図８に示すペニスコネクター３０ｅは、図６の例と同様、着用者のペニスＰが挿入されて先端から突出する実質的に筒状の本体３１ｅと、該本体３１ｅの基端に設けられた大径のフランジ部３２ｅと、本体３１ｅの先端に設けられて本体３１ｅよりも外径が拡大した小径のフランジ状の係止部であるストッパー３３ｅとを有している。大径のフランジ部３２ｅの外径Ｄ２と、ストッパー３３ｅの外径Ｄ１との関係は、一般的にはＤ１≦Ｄ２である。また本体の長さＬは、着用者のペニスＰのサイズに応じて定めることができる。
【００５９】
図９は、男性用体液処理用品１の挿入口５の形状の変形例を示している。以上説明した各例では、図９（ａ）に示すような形状であったが、図９（ｂ）に示すように挿入口もスリット９で構成すれば、さらにペニスＰの固定が良くなり、位置ずれが生じにくく、また液漏れや臭い漏れも起こりにくい。
【００６０】
４．開閉式のペニスコネクター（図１０〜図２０）
（１）バンド方式
図１０及び図１１は、開閉式のペニスコネクター４０を示す図である。開閉式のペニスコネクター４０は、着用者のペニスＰの根元に巻装される帯状の本体４１と、該本体４１の一対の端部相互を結合する結合手段４３と、本体４１に設けられて固定手段の一部として機能するフランジ部４２を有する。帯状の本体４１は、ペニスＰに巻き付けた際にすべりが生じずに固定されるような材質（摩擦のある素材）から構成され、この帯状の本体４１をペニスＰに巻き付けた後に環状に結合する結合手段４３としては、粘着材、ループとフック、メカニカルコネクター等が利用可能である。また、本体４１に設けられるフランジ部４２は、本例では本体４１から突出して設けられる張り出し状の片部（フラップ）を意味する部材であって、本体４１よりもやや硬めの素材でできている。このフランジ部４２は、本例のようなバンド方式の場合は、図１２に示すようにペニスＰに装着した際に着用者に近い側の縁辺に取り付けられている。
【００６１】
これを装着する場合には、本体４１を着用者のペニスＰに巻装して結合手段４３で固定するとともに、図１２に示すように着用者のペニスＰを男性用体液処理用品１の挿入口５に挿入し、さらに男性用体液処理用品１の結束バンド６を前記フランジ部４２の後方（着用者側）に掛け回して男性用体液処理用品１に接合し、着用者のペニスＰをペニスコネクター４０を介して男性用体液処理用品１に正規の状態で取り付け、固定することができる。その他、以上説明したバンド方式の場合と同等の作用効果を得ることができる。
【００６２】
図１３は、開閉式である本例の他のペニスコネクター４０ａを示す図である。このペニスコネクター４０ａは、着用者のペニスＰの根元に巻装される帯状の本体４１と、該本体４１の一対の端部相互を結合する結合手段４３を有するが、前例のようなフランジ部はない。本体４１の材質や結合手段４３は前例と同様であるが、特に厚さ３ｍｍ程度のポリウレタンフォームなどは適している。このペニスコネクター４０ａをペニスに巻き付けて装着するには、図１３に矢印に沿って巻き付け手順を示すように、本体４１の矩形の両端部を角が一致するように重ね合せて結合手段４３で結合し、この結合した部分が図示のように三角形状の突出部４４になるとともに、ペニスの先端側にあたる側の開口が小径となり、ペニスの根元側にあたる反対側が大径となり、ペニスに巻き付けて装着した際にはペニスの先端から根元に向けて径が拡がり、三角形状の突出部４４が根元側を向くようにする。
【００６３】
図１４は、この開閉式のペニスコネクター４０ａを用いて男性用体液処理用品１を装着した状態を示す図である。装着においては、図１３を参照して上述したように本体４１をペニスＰの先端から根元に向けて径が拡がるとともに三角形状の突出部４４が根元側を向くようにペニスＰに巻装して結合手段４３で固定するとともに、着用者のペニスＰ及び本体４１の前半部分を男性用体液処理用品１の挿入口５に挿入し、さらに男性用体液処理用品１の結束バンド６を前記三角形の突出部４４の後方（着用者側）に掛け回して男性用体液処理用品１に接合し、着用者のペニスＰをペニスコネクター４０ａを介して男性用体液処理用品１に正規の状態で取り付け、固定する。結束バンド６は、着用者の側に向けて突出した突出部４４に掛け回されているので、外れにくく、装着は確実である。
【００６４】
（２）シール方式
図１５に示す本例のペニスコネクター４０ｂは、上述し、図１１に示したバンド方式のものにおいて、前記フランジ部４２の男性用体液処理用品１に対向する面に図示しない接合層を設けたものである。これを用いて男性用体液処理用品１を装着する場合には、本体４１を着用者のペニスＰに巻装して結合手段４３で固定するとともに、図１５に示すように着用者のペニスＰを男性用体液処理用品１の挿入口５に挿入し、さらに前記フランジ部４２の接合層を男性用体液処理用品１の挿入口５付近に接合し、着用者のペニスＰをペニスコネクター４０ｂを介して男性用体液処理用品１に正規の状態で取り付け、固定する。これによってペニスＰが挿入された挿入口５の残った開口部分を閉止して液漏れや臭い漏れを防ぐことができる。その他、以上説明したシール方式の場合と同等の作用効果を得ることができる。
【００６５】
図１６に示す本例のペニスコネクター４０ｃは、上述し、図１３に示したペニスコネクター４０ａにおいて、結合手段４２で結合した一対の端部の表側（三角形状の突出部４４の表側）に図示しない接合層を設けたものである。これを装着する場合には、本体４１を着用者のペニスＰに巻装して結合手段４３で固定するとともに、図１６に示すように着用者のペニスＰとペニスコネクター４０ｃの前半部を男性用体液処理用品１の挿入口５に挿入し、さらに本体４１の突出部４４の表側に設けた接合層を男性用体液処理用品１の挿入口５付近に接合し、着用者のペニスＰをペニスコネクター４０ｃを介して男性用体液処理用品１に正規の状態で取り付け、固定する。本例によっても、以上説明したシール方式の場合と同等の作用効果を得ることができる。
【００６６】
（３）ストッパー方式
図１７に示す本例のペニスコネクター４０は、上述し、図１１に示したフランジ部４２がペニスの根元側についているバンド方式のペニスコネクター４０において、前記フランジ部４２をストッパーとして用いるものである。これを用いて男性用体液処理用品１を装着する場合には、本体４１を着用者のペニスＰに巻装して結合手段４３で固定するとともに、着用者のペニスＰを男性用体液処理用品１の挿入口５に挿入するとともに、前記ペニスコネクター４０のフランジ部４２も挿入口５に挿入する。これによって着用者のペニスＰをペニスコネクター４０を介して男性用体液処理用品１に正規の状態で取り付け、固定することができる。従って、着用者の動作によってペニスＰが挿入口５から引き抜かれるような力が加わったり、男性用体液処理用品１がずれ動いても、フランジ部４２がストッパーとなって挿入口５の内部周辺に引っ掛かかり、外れることがない。その他、以上説明したストッパー方式の場合と同等の作用効果を得ることができる。
【００６７】
図１８に示す本例のペニスコネクター４０ａは、上述し、図１３に示したペニスコネクター４０ａにおいて、前記三角形の突出部４４をストッパーとして用いるものである。これを用いて男性用体液処理用品１を装着する場合には、本体４１を着用者のペニスＰに巻装して結合手段４３で固定するとともに、着用者のペニスＰを男性用体液処理用品１の挿入口５に挿入するとともに、前記本体４１の少なくとも前記三角形の突出部４４を挿入口５に挿入する。これによって着用者のペニスＰをペニスコネクター４０ａを介して男性用体液処理用品１に正規の状態で取り付け、固定することができる。従って、着用者の動作によってペニスＰが挿入口５から引き抜かれるような力が加わったり、男性用体液処理用品１がずれ動いても、前記三角形の突出部４４が挿入口５の内部周辺に引っ掛かって外れることがない。その他、以上説明したストッパー方式の場合と同等の作用効果を得ることができる。
【００６８】
図１９に示す本例のペニスコネクター４０ｄは、上述し、図１１に示したペニスコネクター４０において、フランジ部４２が、図２０に示すようにペニスＰに装着した際に男性用体液処理用品１に近い側（ペニスの先端側）の縁辺に取り付けられている。これを用いて男性用体液処理用品１を装着する場合には、本体４１を着用者のペニスＰに巻装して結合手段４３で固定するとともに、着用者のペニスＰを男性用体液処理用品１の挿入口５に挿入するとともに、ペニスの先端及び前記本体４１の少なくともフランジ部４２を挿入口５に挿入する。これによって着用者のペニスＰをペニスコネクター４０ｄを介して男性用体液処理用品１に正規の状態で取り付け、固定することができる。従って、図２０に示すように、着用者の動作によってペニスＰが挿入口５から引き抜かれるような力が加わったり、男性用体液処理用品１がずれ動いても、フランジ部４２が挿入口５の内部周辺に引っ掛かって外れることがない。その他、以上説明したストッパー方式の場合と同等の作用効果を得ることができる。
【００６９】
開閉式におけるストッパー方式の他のバリエーションとしては、帯状の本体を一巻でなく、ペニスに複数回巻いてある程度の高さ（厚み）を構成し、ペニスＰを男性用体液処理用品１の挿入口５に挿入する際にこの複数回巻いた本体の部分をも挿入口５から男性用体液処理用品１内に挿入し、ストッパーとして機能させることもできる。
【００７０】
４．その他
以上１〜３では説明しなかったが、スリット式のペニスコネクターにおいて、板状の本体の前面（男性用体液処理用品１に対面する側の面）にスリットの周囲を囲むように短い管を取り付け、さらにこの管の先端に外方に張り出したフランジを設けてなるストッパーを取り付け、男性用体液処理用品１に対する固定構造に前記ストッパー方式を採用することも可能である。開口式のペニスコネクターについても同様である。
【００７１】
なお、以上説明した各例では、本発明のペニスコネクターが適用できる男性用体液処理用品１，１’として、図１（ａ）及び図６（ａ）に示すように、左右一対のウイング状の側部２を備えた袋部３を有し、その袋部３に挿入口５があって内部に吸収体４が設けられているものを挙げた。しかし、袋部３の形状はウイング状の側部２の有無に係わらず、いかなるものでもよいし、その内部に設けられている吸収体４の材質や配置等にも特に限定はない。要するに、体液を収納可能な袋状の本体にペニスを挿入する挿入口５が設けられた基本構造を有するものであれば、下着から独立した製品でも、下着と一体化した製品でも、ペニスを該挿入口５に正規に位置決めして保持させるための器具として本発明のペニスコネクターは有効である。
【図面の簡単な説明】
【００７２】
【図１】図１（ａ）は本発明のペニスコネクターが適用可能な男性用体液処理用品の正面図（着用者に接する側の面を表す図）、同図（ｂ）は本例のスリット式のペニスコネクターをペニスに着装した状態を示す断面図、同図（ｃ）は本例のスリット式のペニスコネクターによりペニスに男性用体液処理用品を着装した状態を示す断面図である。
【図２】バンド方式で固定する本例のスリット式のペニスコネクターの変形例を示す図である。
【図３】シール方式で固定する本例のスリット式のペニスコネクターの変形例を示す図である。
【図４】バンド方式で固定する本例の開口式のペニスコネクターの変形例を示す図である。
【図５】（ａ）はバンド方式で固定する本例の導入式のペニスコネクターを示す斜視図、同図（ｂ）は断面図である。
【図６】図６（ａ）は本発明のペニスコネクターが適用可能な男性用体液処理用品の正面図（着用者に接する側の面を表す図）、同図（ｂ）は本例の導入式のペニスコネクターをペニスに着装した状態を示す断面図、同図（ｃ）は本例の導入式のペニスコネクターによりペニスに男性用体液処理用品を着装した状態を示す断面図である。
【図７】ストッパー方式で固定する本例の導入式のペニスコネクターの変形例を示す図である。
【図８】ストッパー方式乃至バンド方式で固定する本例の導入式のペニスコネクターの斜視図である。
【図９】本例のペニスコネクタが適用される男性用体液処理用品の挿入口５の径条例を示す図である。
【図１０】第１例の開閉式のペニスコネクターを示す図である。
【図１１】第１例の開閉式のペニスコネクター及びその巻装状態を示す図である。
【図１２】第１例の開閉式のペニスコネクターによりペニスに男性用体液処理用品を着装した状態を示す断面図である。
【図１３】第２例の開閉式のペニスコネクター及びその巻装手順を示す図である。
【図１４】第２例の開閉式のペニスコネクターによりペニスに男性用体液処理用品を着装した状態を示す断面図である。
【図１５】第３例の開閉式のペニスコネクターによりペニスに男性用体液処理用品を着装した状態を示す断面図である。
【図１６】第４例の開閉式のペニスコネクターによりペニスに男性用体液処理用品を着装した状態を示す断面図である。
【図１７】第１例の開閉式のペニスコネクターをストッパ式に用いてペニスに男性用体液処理用品を着装した状態を示す断面図である。
【図１８】第２例の開閉式のペニスコネクターをストッパ式に用いてペニスに男性用体液処理用品を着装した状態を示す断面図である。
【図１９】第５例の開閉式のペニスコネクター及びその巻装状態を示す図である。
【図２０】第５例の開閉式のペニスコネクターを用いてペニスに男性用体液処理用品を着装した状態を示す断面図である。
【符号の説明】
【００７３】
１，１’  男性用体液処理用品
３  袋部
４  吸収体
５  挿入口
６  結束手段としての結束バンド
７  接合層
９  挿入口としてのスリット
１０  スリット式のペニスコネクター
１１  本体
１２  スリット
１３  フランジ
１５  固定手段としての接合層
２０  開口式のペニスコネクター
２１  本体
２２  開口
３０  導入式のペニスコネクター
３１  本体
３２  フランジ部
３３  ストッパー
４０  開閉式のペニスコネクター
４１  本体
４２  フランジ部
４３  結合手段
４４  突出部
【図３】
2006115926.tif 000003
【図４】
2006115926.tif 000004
【図５】
2006115926.tif 000005
【図７】
2006115926.tif 000006
【図８】
2006115926.tif 000007
【図９】
2006115926.tif 000008
【図１０】
2006115926.tif 000009
【図１１】
2006115926.tif 000010
【図１２】
2006115926.tif 000011
【図１３】
2006115926.tif 000012
【図１４】
2006115926.tif 000013
【図１５】
2006115926.tif 000014
【図１６】
2006115926.tif 000015
【図１７】
2006115926.tif 000016
【図１８】
2006115926.tif 000017
【図１９】
2006115926.tif 000018
【図２０】
2006115926.tif 000019
【図１】
2006115926.tif 000020
【図２】
2006115926.tif 000021
【図６】
2006115926.tif 000022